(57)【要約】【課題】通常使用で生じる外力による床板の移動を規制するが，床板の膨張，収縮等が生じた時には床板の移動を許容し得る状態で根太等の支持材上に床板を固定することができる床板固定具を提供する。【解決手段】幅方向の両側面４０それぞれに，長さ方向にスリット４１が形成された床板４を固定する床板固定具１であり，隣接配置された２枚の床板のそれぞれの側面に形成されたスリットに挿入される架橋片３と，この架橋片の幅方向における中間位置より床板表裏面方向に突出し床板両側面間に挟持されるスペーサ片２を可撓性合成樹脂材料で断面略十字状に一体形成され，前記スペーサ片を貫通する釘孔２１を形成すると共に，前記床板の側面４０と接触する前記スペーサ片の側面２３に，前記スペーサ片２の前記床板側面の長さ方向に直交する方向に，所定間隔で列条を成す凸条２２，２２’を複数形成する。【選択図】図１
2011084946.tif 000002
【特許請求の範囲】
【請求項１】
幅方向の両端を成す側面のそれぞれに，長さ方向にスリットが形成された床板を固定対象とする床板固定具において，
隣接配置された２枚の床板のそれぞれの側面に形成された前記スリットに挿入されて，隣接配置された２枚の床板間を架橋する架橋片と，前記架橋片の幅方向における中間位置より前記床板の表裏面方向に突出し，隣接配置される２枚の床板の前記側面間に挟持されるスペーサ片を，可撓性合成樹脂材料により一体形成し，
前記スペーサ片に，該スペーサ片を前記突出方向に貫通する釘孔を形成すると共に，
前記床板の前記側面と接触する前記スペーサ片の側面に，前記床板側面の長さ方向の直交方向に列条を成す凸条を複数形成したことを特徴とする床板固定具。
【請求項２】
平面視における前記各凸条の頂部形状を尖鋭状に形成し，前記凸条が形成された前記スペーサ片の側面を鋸歯状に形成したことを特徴とする請求項１記載の床板固定具。
【請求項３】
前記各凸条の頂部を，前記凸条の幅方向における一方側に偏って配置したことを特徴とする請求項２記載の床板固定具。
【請求項４】
前記架橋片の下端から前記スペーサ片の下端迄の長さを，固定対象とする前記床板の裏面から前記スリットの床板裏面側内壁迄の高さに対して僅かに短く形成したことを特徴とする請求項１〜３いずれか１項記載の床板固定具。
【請求項５】
表面側における幅方向両端の角部が面取りされて面取り部が形成された床板を固定対象とし，前記架橋片の下端から前記釘孔の形成位置における前記スペーサ片の上端迄の高さを，固定対象とする前記床板のスリット内に形成された床板裏面側内壁から前記面取り部の下端迄の高さと略同一高さに形成したことを特徴とする請求項１〜４いずれか１項記載の床板固定具。
【発明の詳細な説明】
【技術分野】
【０００１】
本発明は，ウッドデッキやフローリングの床板であって，幅方向両端面を成す側面に床板の長さ方向にスリットが形成された床板を根太等の支持材上に固定するための床板固定具に関し，特に合成木材製の床板の固定に適した床板固定具に関する。
【背景技術】
【０００２】
ウッドデッキを例として説明すると，このウッドデッキの施工は，一例として図７に示すように地表等に必要に応じて基礎を打設する等した設置面９上に束柱６を立設し，この束柱６上に根太等の支持材５を架設し，この支持材５上に床板４であるデッキパネルを,所定間隔を介して一定方向に並行に並べて載置すると共に，この床板４を，前記支持材５に固定することにより行われる。
【０００３】
支持材５に対して床板４を固定する最も簡単な手段としては，図８に示すように床板４の表面から支持材５に至る釘や螺子釘７’を打ち込み，この釘や螺子釘によって床板４を支持材５に直接止め付ける手段がある。
【０００４】
しかし，この手段による場合，床板４の表面に釘や螺子釘７’の頭部が露出するために見栄えが悪く，また，経時により釘や螺子釘の頭部が床板４の表面より突出した場合には，床板上を歩行等する際に危険を伴う。
【０００５】
さらに，一旦施工された床板４は，これを取り外した際，床板４の表面に釘や螺子釘によってうがたれた穴が残ることから，例えば解体されたか億等より回収した使用済みの床板を再利用しようとすれば，この孔を埋める等の煩雑な作業が必要となる。
【０００６】
そこで，図９（Ａ），（Ｂ）に示すように釘や螺子釘を床板４の表面に直接打ち込むことなく，床板固定具１００，１１０を使用して支持材５に床板４を取り付ける手段も提案されており，このような床板固定具１００，１１０による取り付けを可能とするために，床板４の幅方向における両端を成す側面４０に，床板４の長さ方向に連続したスリット４１を形成し，このスリット４１に嵌合させた床板固定具１００，１１０を支持材５に固定することで，支持材５に対する床板４の固定を行うことも提案されている。
【０００７】
このように，床板４を支持材５に固定するために，上端開口縁より外向きに突出したフランジ部１０１を設けた長尺のチャンネル金具を床板固定具１００として使用し，この床板固定具１００のフランジ部１０１を，隣接配置された床板４の対向する側面４０に形成されたスリット４１内にそれぞれ挿入すると共に，長手方向に所定の間隔で底板に形成された釘孔１０２に挿入された螺子釘７’をそれぞれ支持材５に打ち込む（ねじ込む）ことで，床板固定具１００を介して床板４を支持材５に固定する手段〔図９（Ａ）参照〕，他に，架橋片１１１と該架橋片１１１の裏面より突出した中間片１１２を備えた断面Ｔ字状の床板固定具１１０を使用し，この床板固定具１１０の架橋片１１１を床板４のスリット４１内に挿入すると共に，中間片１１２を同図上下方向に貫通する釘孔１１３に挿入した螺子釘７’を支持材５に打ち込む（ねじ込む）ことで，床板４を支持材５に固定する手段も提案されている〔図９（Ｂ）参照〕。
【０００８】
なお，図９（Ａ）を参照して説明した床板固定具１００の構造において，更に図１０に示すようにフランジ部１０１の先端に鋸歯状の端縁を有する係止爪１０３を形成し，螺子釘７’による固定時，係止爪１０３が床板４のスリット４１の内壁に食い込むようにしたものや（特許文献１；図１０参照），図９（Ｂ）を参照して説明した床板固定具１１０の構造において，支持材５に対して螺子釘７’を締め込んで行くと変形が生じ，この変形によって床板４に設けたスリット４１の内壁との接触抵抗を増大させるようにした床板固定具１１０も提案されている（特許文献２：図１１参照）。
【先行技術文献】
【特許文献】
【０００９】
【特許文献１】特開２００２−１４６９０１号公報
【特許文献２】特開２００８−２８５９２９号公報
【発明の開示】
【発明が解決しようとする課題】
【００１０】
前述した床板４の固定手段において，図９（Ａ），（Ｂ）を参照して説明した固定手段によれば，床板４を支持材５より上方に引きはがそうとしても，床板４の側面４０に形成したスリット４１の内壁が，床板固定具１００，１１０のフランジ部１０１乃至は架橋片１１１と接触するために，床板４は，支持材５上に固定されてこれを引き剥がすことはできない。
【００１１】
しかし，このような床板固定具１００，１１０による固定では，床板４と床板固定具１００，１１０間の直接的な連結を行っていないために，床板４を上方に引き剥がせないようにする点では効果的であるものの，床板４の長手方向の移動を規制する力が弱い。
【００１２】
そのため，このようにして固定された床板４上を人が歩く等して，床板４を長手方向に移動させる力が加わると床板が長手方向に移動して外れてしまうおそれがあり，例えば床板４の長手方向における両端側に，床板４の端部に突合して床板の移動を規制する横木を設ける等の対策が必要となる。
【００１３】
しかし，このようにして横木を設けることで床板４の端部が横木を越えて移動できないようにしても，床板４の端部と横木との間には，気温や湿度の変化に伴う床板４の膨張，収縮等を考慮して若干の隙間を設ける必要があるために，人が歩く度に床板４がこの隙間分長手方向に移動して床板４の端部が前述した横木に衝突すれば，この衝突により騒音が発生し，ひいては，ゆがみなどの変形，破損が生ずる。
【００１４】
図１０に示した特許文献１に記載の床板固定具１００にあっては，フランジ部１０１に設けた係止爪１０３を床板４のスリット４１内壁に食い込ませることで隣接する床板４間を連結しようというものであり（特許文献１の「0055」欄），係止爪１０３を設けることにより，床板固定具１００に「かすがい」に類似した機能を付与しようというものであるが，このような係止爪１０３を設け，これを床板４に食い込ませた場合には，床板４と床板固定具１００とが強固に連結されることとなる結果，この床板固定具１００を使用する場合には，床板４が長手方向に移動することも効果的に防止し得るものと考えられる。
【００１５】
しかし，床板４，特に合成木材によって形成された床板４は，気温の変化や水分の吸収状態等によって比較的大きな寸法変化を生じ，特に，床板４の長手方向における寸法変化は大きい。例えば，６ｍの木質合成板で，以下のとおりとなる。
2011084946.tif 000003
【００１６】
そのため，図１０の床板固定具１００のように，係止爪１０３を床板４に食い込ませる等して床板４と床板固定具１００とを強固に連結してしまうと，膨張や収縮による床板４の寸法変化を吸収できず，床板固定具１００に大きな力が加わって床板固定具１００の破損や変形，螺子釘７’の抜け落ちが生じて床板４の固定ができなくなり，また，床板４に反りや歪み等の変形が生じるおそれがある。
【００１７】
そのため床板固定具には，人が歩行等した際に加わる通常の使用状態においてかかる負荷の程度では床板４の移動を規制して固定することができるが，床板４の膨張や収縮により床板４自体に寸法変化が生じた場合等，床板固定具を破損させてしまう程の大きな力で床板４を動かそうとする力が加わった場合には，床板４の移動を許容し得るように床板４を固定できるものであることが望まれる。
【００１８】
このような要求に対して，図１１を参照して説明した特許文献２に記載の床板固定具１１０にあっては，床板固定具１１０を樹脂材料等の可撓性材料によって形成し，螺子釘７’の締め込みを行うことにより床板固定具１１０を変形させて床板４の側面４０に設けたスリット４１の内壁に対する架橋片１１１の押圧力を高めて床板４の長手方向への移動を規制することにより，床板４上を人が歩行する等の通常の使用状態で加わる力では床板４が移動することはないが，膨張や収縮等によって床板４の寸法自体が変化した場合のように極めて大きな力が加わった場合には，この寸法変化に伴う床板４の移動を許容することができるように構成している。
【００１９】
しかし，前掲の特許文献２に記載の床板固定具１１０では，床板固定具１１０に変形を生じさせるために，好適な実施形態において中間片１１２に切欠を形成し，あるいは，架橋板１１１に厚肉部と薄肉部とを形成する構成を採用する等，その形状が複雑なものとなっている。
【００２０】
なお，螺子釘７’の頭部が床板４間に形成された隙間内に隠れるように施工するためには，図９（Ａ）及び図１０を参照して説明した床板固定具１００では，螺子釘７’として頭部の直径ｒが床板固定具１００に形成された溝幅Ｗ1以下のものを使用する必要があり，また，図９（Ｂ）及び図１１を参照して説明した床板固定具１１０にあっては，頭部の直径ｒを，隣接する床板４の側面４０間の間隔（以下，この間隔を「目地幅」という。）Ｗ2以下の螺子釘を使用する必要がある。
【００２１】
そのため，床板４の目地幅Ｗ2を比較的狭く施工しようとすれば，必然的に使用する螺子釘７’の頭部直径ｒも小さくなるために，ドライバ等の工具からのトルクによって頭部に形成された工具嵌合用の窪みが変形してしまい，その結果螺子釘７’を締め込むことができなくなる。
【００２２】
一方，図９（Ｂ）及び図１１を参照して説明した床板４の固定において，敢えて目地幅Ｗ2に対して頭部の直径ｒが大きな螺子釘を使用した場合には，この螺子釘７’を締め込む際に，螺子釘７’頭部が床板４の側面４０を削り取るために，施工後の見栄えが悪くなり，見栄えを向上させるために螺子釘７’の頭部が削り取った部分をパテ等で埋めて補修等しようとすれば，多大な労力が必要となる。
【００２３】
なお，このように床板４の側面４０が削り取られることは，頭部の直径が目地幅に対して小さい螺子釘７’を使用した場合であっても，螺子釘７’が斜めに打ち込まれる等した場合には同様に生じ得るものとなっている。
【００２４】
本発明は，上記従来技術における欠点を解消するためになされたものであり，比較的簡単な構造でありながら，人が床板上を歩行等した場合等，通常の使用状態で生じる外力が床板に加わった場合には，床板の長手方向の移動を規制するが，床板が膨張，収縮することにより寸法変化が生じた場合のように，極めて強固な力によって床板固定具との接触位置を長手方向に移動させようとする力が生じた場合には，このような移動を許容することができる床板固定具を提供することを目的とする。
【００２５】
また，本発明は，上記目的に加え，床板固定具を支持材に固定する螺子釘として頭部の直径が可及的に大きなものを使用することができ，且つ，このような頭部の直径が大きい螺子釘を使用した場合であっても，螺子釘の頭部を床板の表面より突出させることなく，且つ，床板の幅方向における側面を螺子釘の頭部によって削ることなく施工することのできる床板固定具を提供することを目的とする。
【課題を解決するための手段】
【００２６】
以下に，課題を解決するための手段を，発明を実施するための形態における符号を付して記載する。この符号は，特許請求の範囲の記載と発明を実施するための形態の記載との対応を明らかにするためのものであり，言うまでもなく，本願発明の特許請求の範囲の技術的範囲の解釈に制限的に用いられるものではない。
【００２７】
上記目的を達成するために本発明の床板固定具１は，幅方向の両端を成す側面４０の両側面それぞれに，長さ方向に，好ましくは，連続してスリット４１が形成された隣接する２の床板４を固定対象とする床板固定具１において，
前記隣接配置された２枚の前記床板４のそれぞれの側面４０に形成された前記スリット４１に挿入されて，隣接配置された２枚の床板４間を架橋する架橋片３と，前記架橋片３の幅方向における中間位置より前記床板の表裏面方向に突出し，隣接配置される２枚の床板４の側面４０間に挟持されるスペーサ片２を，可撓性を有する合成樹脂材料により一体的に形成し，
前記スペーサ片２に，該スペーサ片２を前記突出方向に貫通する釘孔２１を形成すると共に，
前記床板４の前記両側面４０と接触する前記スペーサ片２の少なくとも一の側面２３に，前記スペーサ片２の前記床板側面４０の長さ方向に直交する方向に，好ましくは所定間隔で，列条を成す凸条２２，２２’を複数形成したことを特徴とする（請求項１）。
【００２８】
上記構成の床板固定具１において，平面視における前記各凸条２２，２２’の頂部２２ａ形状を尖鋭状に形成し，前記凸条２２，２２’が形成された前記スペーサ片２の側面２３を鋸歯状に形成することができる（請求項２）。
【００２９】
更に，このように凸条２２，２２’の頂部２２ａを尖鋭状に形成した場合には，前記各凸条２２の頂部２２ａを，前記凸条２２の幅方向における一方側に偏って配置した構成としても良い〔請求項３；図２（Ｄ）中の拡大図参照〕。
【００３０】
また，前記架橋片３の下端から前記スペーサ片２の下端迄の長さｌ〔図１（Ａ）参照〕を，固定対象とする前記床板４の裏面から前記スリット４１の床板裏面側内壁４１ａ迄の高さＬ（図５参照）に対して僅かに短く形成するものとしても良い（請求項４）。
【００３１】
更に，表面側における幅方向両端の角部が面取りされて面取り部４３（図５参照）が形成された床板４を固定対象とし，前記架橋片３の下端から前記釘孔２１の形成位置における前記スペーサ片２の上端迄の高さｈ〔図１（Ａ），（Ｂ）参照〕を，固定対象とする前記床板４のスリット４１内に形成された裏面側内壁４１ａから前記面取り部４３の下端４３ｂ迄の高さＨ（図５参照）と略同一高さに形成するものとしても良い（請求項５）。
【発明の効果】
【００３２】
以上で説明した本発明の構成により，本発明の床板固定具１によれば，以下の効果を得ることができた。
【００３３】
架橋片３の裏面側のみならず，上面側にも床板４の側面４０に挟持されるスペーサ片２を設けることにより，床板固定具１が断面において十字状〔図１（Ｂ）参照〕に形成されていることにより，床板固定具１と床板４との接触面積の増大が得られていると共に，スペーサ片２の側面２３に複数の凸条２２を設けたことにより，床板固定具１と床板４との接触抵抗を大幅に増大させることができた。
【００３４】
その結果，床板４と床板固定具１とを直接固定することなく，両者の接触抵抗によって床板４上を人が歩行する等の通常の使用状態において加わる力に対して床板４が長手方向に移動することを十分に防止することができる一方，床板４の膨張や収縮に伴う寸法変化が生じた場合のように，極めて強い力で床板４と床板固定具１との接触位置を移動させようとする力が加わった場合には，床板４の移動を許容することができ，床板の膨張，収縮等に伴う床板固定具１の破損や螺子釘７の脱落，床板４に反りや歪み等の変形が発生することを好適に防止することができた。
【００３５】
床板固定具１の平面視において，前記凸条２２，２２’の頂部２２ａを尖鋭状に形成して，スペーサ片２の側面２３を鋸歯状とした構成にあっては，床板４と床板固定具１との接触抵抗を更に増大させることができ，床板４上を人が歩行する等の通常の使用状態における床板４の長手方向における移動を更に確実に防止することができた。
【００３６】
特に，この凸条２２の頂部２２ａを，凸条２２の幅方向における一方側に偏って配置した構成にあっては，床板４の長手方向のいずれか一方向きの移動に対し，より強力に規制することができる床板固定具１を提供することができた。
【００３７】
架橋片３の下端からスペーサ片２の下端迄の長さｌを，床板４の裏面からスリット４１の裏面側内壁４１ａ迄の高さＬに対して短く形成した場合には，螺子釘によって床板固定具１を支持材５上に取り付けた際，架橋片３の下端がスリットの裏面側内壁４１ａに対して強固に押圧されることで，膨張，収縮に伴う床板の長手方向への移動を許容しつつ，床板の固定を強固に行うことができた。
【００３８】
表面側における幅方向両端の角部が面取りされて面取り部４３が形成された床板４を固定対象とし，前記架橋片３の下端から前記釘孔の形成位置における前記スペーサ片２の上端迄の高さｈを，固定対象とする前記床板４の裏面側内壁４１ａから前記面取り部４３の下端４３ｂ迄の高さと略同一に形成した床板固定具１にあっては，支持材５に対する床板固定具１の固定に隣接する面取り部４３の上端４３ａ間の幅に対して直径ｒが小さな頭部７１を有する皿螺子を使用することで，目地幅Ｗ2よりも大きな直径ｒの頭部７１を有する皿螺子を使用することができ，これにより螺子釘７の頭部に形成された工具嵌合用の窪みが破損する等といった問題の発生を減少させることができた。
【００３９】
また，このように頭部の直径ｒが目地幅Ｗ2に対して大きな螺子釘７を使用した場合であっても，螺子釘７の頭部７１を隣接する面取り部４３，４３間の間隔に嵌合させることができ，螺子釘７の頭部７１が床板４の側面４０を削ることなく，且つ，床板４の表面より突出させることなく取り付けることができた。
【００４０】
しかも，螺子釘７の頭部７１の傾斜側面７１ａが面取り部４３と接触することにより，床板４との接触抵抗を更に増大させて，通常の使用状態において床板４が移動することを更に確実に防止することができた。
【図面の簡単な説明】
【００４１】
【図１】本発明の一実施形態を示す床板固定具であり，（Ａ）は正面図，（Ｂ）は（Ａ）のＢ−Ｂ線断面図，（Ｃ）は平面図，（Ｄ）は斜視図。
【図２】本発明の別の実施形態を示す床板固定具であり，（Ａ）は正面図，（Ｂ）は側面図，（Ｃ）は平面図，（Ｄ）は底面図。
【図３】図１の床板固定具の変形例を示し，（Ａ）は正面図，（Ｂ）は底面図。
【図４】図１の床板固定具の更に別の変形例を示し，（Ａ）は正面図，（Ｂ）は底面図。
【図５】本発明の床板固定具の使用状態説明図であり，（Ａ）は螺子釘の打ち込み前，（Ｂ）は螺子釘の打ち込み後の状態を示す。
【図６】図２の床板固定具の説明図であり，（Ａ），（Ｂ）は床板の移動方向の相違と凸条の作用の相違，（Ｃ）は床板固定具の使用例の説明図，（Ｄ）〜（Ｆ）は，床板固定具の別の使用例における作用の説明図。
【図７】床板の一般的な施工状態を示す説明図。
【図８】従来の床板の固定手段（釘による固定）の説明図。
【図９】従来の床板の固定手段の説明図であり，（Ａ）はフランジを有するチャンネル金具を床板固定具とした例，（Ｂ）はＴ字状の床板固定具を使用した例。
【図１０】従来の床板固定具の斜視図〔特許文献１の図８（ａ）に対応〕。
【図１１】従来の床板固定具による床板の固定原理の説明図〔特許文献２の図１０（Ｂ）に対応〕。
【発明を実施するための最良の形態】
【００４２】
次に本発明の実施例を，添付図面を参照しながら以下に説明する。
【００４３】
〔床板固定具の構成〕
本発明の床板固定具１は，架橋片３と，前記架橋片３の幅方向における中間位置より前記床板の表裏面方向に突出するスペーサ片２を，可撓性を有する合成樹脂材料，例えばＡＢＳ樹脂，ポリプロピレン，ポリエチレン，塩化ビニル，ナイロンの他，ガラス繊維強化ポリプロピレン：(ガラス繊維長) 0.5〜5mm ; (ガラス繊維含有率)10〜40重量部等の適度な剛性と可撓性とを兼ね備えた合成樹脂材料により一体的に形成して，断面十字状に形成したものである〔図１（Ｂ）参照〕。
【００４４】
そして，前述のスペーサ片２には，該スペーサ片２を前記突出方向に貫通する釘孔２１が設けられており，隣接配置された床板４の対向する側面４０にそれぞれ形成されたスリット４１に前記架橋片３を挿入すると共に，スペーサ片２を床板４の側面４０間に挟持して床板が一定の目地幅Ｗ2となるように配置した状態で釘孔２１に挿入した螺子釘７を支持材５に打ち込む（ねじ込む）ことにより，床板固定具１が根太等の支持材５に固定されると共に，この床板固定具１を介して床板４が支持材５上に取り付けられる〔図５（Ａ），（Ｂ）参照〕。
【００４５】
床板４の側面４０に挟持接触される床板固定具１のスペーサ片２の側面２３には，スペーサ片２の前記床板側面４０の長さ方向に直交する方向に，所定間隔で列条を成す複数の凸条２２が形成されており，図１に示す実施形態にあっては，スペーサ片２の一方の側面２３（２３ａ，２３ｂ；２３ｃ，２３ｄ）に，それぞれ５本の凸条２２を形成している。
【００４６】
この凸条２２は，スペーサ片２の側面２３のうち，床板４の側面４０と接触する全ての部分に対して形成しても良く（図１参照），又はそのうちの一部，例えば側面２３のうち架橋片３の下側に位置する部分（２３ｂ，２３ｄ）の一方のみ（図２参照）又は双方に形成しても良く，更には側面２３のうち架橋片３の上側に位置する部分２３ａ，２３ｃの一方又は双方に形成しても良く，更には，これらの任意の組合せとなる側面に形成するものとしても良い。
【００４７】
なお，スペーサ片２の側面２３の一部に凸条２２を設ける場合，床板４の側面４０間にこのスペーサ片２を挟持した際に，凸条２２が形成された側面にあっては凸条２２の頂部が，凸条２２の形成されていない側面では，側面の平坦面がいずれも床板４の側面４０と接触することとなるように各部のサイズを調整する。
【００４８】
この凸条２２は，図１に示す実施形態にあっては，平面視において頂部２２ａが平坦に形成された比較的幅広の矩形状の凸条となっているが〔図１（Ｃ）参照〕，この凸条２２は，より幅狭の凸条２２を図１の構成に比較して多数設けるものとしても良く，また，図２に示すように，平面視において頂部２２ａが尖鋭状の三角形状の凸条２２を設けてスペーサ片２の側面が全体として鋸歯状となるようにしても良く，更には図３に示すように，比較的幅広に形成された凸条２２の頂部に，更に細かい凸条２２’，図示の例では頂部が尖鋭状の凸条２２’を形成するようにしても良く，スペーサ片２の床板４の長手方向と直交方向を成し，床板４の側面４０との接触抵抗を増大させ得るものであれば，各種形状として形成することができる。
【００４９】
このような接触抵抗の増大という観点からは，凸条２２は，図２及び図３に示すように，平面視において頂部が尖鋭状の凸条２２，２２’を設け，これによりスペーサ片２の側面を鋸歯状に形成することが好ましい。
【００５０】
また，このようにスペーサ片２の側面に設ける凸条２２を，頂部２２ａの尖鋭状に形成して鋸歯状とする場合には，図２（Ｄ）中に拡大図で示すように，凸条２２の裾から頂部２２ａに至る２辺を不等辺に形成する等して，凸条２２の頂部２２ａを，凸条２２の幅方向における一方側に偏って設けるように形成するものとしても良い。
【００５１】
このスペーサ片２には，このスペーサ片２を前記突出方向に貫通する釘孔２１が設けられている。
【００５２】
この釘孔２１は，図１の実施形態にあっては上端部分が上向きに広がるテーパ状に形成されている一方，他の部分を全て同一径に形成し〔図１（Ｂ）参照〕，後述する螺子釘７として皿螺子を使用すると，この皿螺子の頭部７１に形成された傾斜側面７１ａが，テーパ状に形成された釘孔２１の上端部分に一部入り込むようになっている。
【００５３】
スペーサ片２は，好ましくは後述する架橋片３の下端から釘孔２１の形成位置におけるスペーサ片２の上端迄の高さｈ〔図１（Ａ），（Ｂ）参照〕が，固定対象とする床板４のスリット４１に設けられた床板の裏面側内壁４１ａから床板表面における幅方向両端に形成された面取り部４３の下端４３ｂ位置迄の高さＨ〔図５（Ａ）参照〕と略同一の高さとなるように形成することが好ましい。
【００５４】
このように形成することで，面取り部４３の上端４３ａ間の幅Ｗ3〔図５（Ｂ）参照〕よりも直径が小さいものであれば，床板４の側面４０間の間隔である目地幅Ｗ2よりも直径ｒの大きな頭部７１を有する螺子釘７を使用して床板固定具１を固定することができ，これにより螺子釘７の頭部に形成された工具嵌合用の窪みが皿螺子の締め込み中に破損し難くすることができると共に，このような螺子釘７を使用した場合であっても，螺子釘７の頭部７１を面取り部４３間の間隔に嵌合させて，床板の表面より突出しないように施工することができる。
【００５５】
しかも，螺子釘７の頭部７１に形成された傾斜側面７１ａが床板４の面取り部４３と接触した状態で取り付けられるために〔図５（Ｂ）参照〕，螺子釘７の傾斜側面７１ａと床板４との接触により，螺子釘７を介して床板４と床板固定具１との接触抵抗を更に増大させることができる。
【００５６】
なお，図１に示す実施形態にあっては，図１（Ａ）の正面図に示すようにスペーサ片２の上端を中央において高く，幅方向の両端において低くなるように形成し，全体として中央が膨出する丸みを帯びた形状に形成しているが，床板固定具１の形状はこれに限定されず，スペーサ片２の上端をいずれの位置においても均一な高さに形成するものとしても良く，又は，中央部分において高く，幅方向の両端において低い，例えば台形状に形成するものとしても良く，更には，図１（Ｂ）における釘孔の上端テーパ部に対応する部分の全部又は一部を切り欠いて，図２（Ａ）に示すように中央部が窪んだ形状に形成しても良い。
【００５７】
また，スペーサ片２の幅方向における両端には，一例として図４に示すように，スペーサ片２の端縁から外向きに広がるＶ字状の変形部２４を設けるものとしても良い。
【００５８】
この変形部２４は，床板固定具１の取付前の状態では，最大幅がスペーサ片２の肉厚よりも幅広に形成されているものであっても良いが，取付時には変形して，床板４の側面４０が，スペーサ片２の側面との挟持接触を規制しない程度の変形性を有するように形成されている。
【００５９】
以上のように形成されたスペーサ片２は，平面視において略長方形に形成された架橋片３の幅方向における中央においてこの架橋片３と交わっており，床板固定具１が全体として図１（Ｂ）に示した側面断面図に表れているように十字状に形成されている。
【００６０】
この架橋片３は，床板４の側面４０に形成されたスリット４１に挿入可能なものであれば，全体が一定の厚みとなるように図２に示すように平坦な形状に形成するものとしても良く，又は，図１に示すように周縁部にリブを備えた形状としても良く，更には，前述したスペーサ片と同様の凸条を架橋片３の床板４との接触する部分に設けるものとしても良い。
【００６１】
スペーサ片２の下端から架橋片３の下端迄の高さｌ〔図１（Ａ），（Ｂ）参照〕は，固定対象とする床板４の裏面からスリット４１の床板裏面側内壁４１ａ迄の高さＬ〔図５（Ａ）参照〕と同一，好ましくは，これよりも若干低く形成することが好ましい。
【００６２】
なお，架橋片３の最大厚さ，図１の実施形態では架橋片３の周縁部の厚さは，床板４の側面４０に形成されたスリット４１の幅と同一幅に形成して，架橋片３がスリット４１内に圧嵌されるようにしても良く，又はスリット４１の幅に対して薄く形成して，スリット４１内に遊嵌されるように構成しても良い。
【００６３】
なお，架橋片３は，床板４の側面４０間でスペーサ片２を挟持した際に，スリット４１の最奥部に存在する内壁と干渉しないサイズに形成する。
【００６４】
以上のように形成された床板固定具１は，螺子釘７を使用して支持材５に固定され，好ましくはこの螺子釘７として皿螺子を使用して支持材５に固定される。
【００６５】
この床板固定具１の固定に使用する螺子釘７は，支持材５に対する打ち込み深さを確保することができるようスペーサ片２の全高に対して長く形成されていると共に，頭部７１以外の部分を，スペーサ片２に形成された釘孔２１に挿入することができる太さに形成されている。
【００６６】
〔使用方法及び作用〕
以上のように構成された本発明の床板固定具１は，図５（Ａ），（Ｂ）に示すように，隣接配置する床板４の対向する側面４０にそれぞれ形成されたスリット４１内に架橋片３を挿入すると共に，床板４の側面４０がスペーサ片２の側面２３と接触するように，床板４の側面４０間でスペーサ片２を挟持する。
【００６７】
床板固定具１が図４に示す変形部２４を有する場合には，この変形部２４の変形により床板４の側面４０がスペーサ片２の側面２３に対して押圧接触されるように床板４間の間隔を調整する。
【００６８】
この作業により，床板４間に形成される目地幅Ｗ2が，スペーサ片２の肉厚によって一定幅に位置決めされ，目地幅Ｗ2が揃った美しい状態で床板４を敷設することができる。
【００６９】
この状態で釘孔２１内に挿入した螺子釘７を支持材５に打ち込んでいくと，スペーサ片２の下端が支持材５上に押圧されると共に，架橋片３の裏面がスリット４１の裏面側内壁４１ａ上に押圧され，これにより床板４は，床板固定具１を介して支持材５上に固定される。
【００７０】
このようにして床板４を，根太等の支持材５の配置間隔に対応して床板４の長手方向に所定間隔，一例として４５０mm程度の間隔で複数箇所固定する。
【００７１】
床板固定具１は，床板４に対して釘や螺子釘，接着剤等によって直接固定せず，前述した架橋片３の裏面とスリット４１の床板裏面側内壁４１ａとの押圧接触と，床板４の側面４０とスペーサ片２の側面との押圧接触によって床板を固定した状態となっているが，前述した床板固定具１の構造により，従来技術として説明したＴ字状の固定具〔図９（Ｂ）参照〕に比較して，スペーサ片２が架橋片３の上方にも存在することにより，床板４の側面４０と床板固定具１との接触面積の増大が得られ，これにより接触抵抗の増大が得られるものとなっている。
【００７２】
しかも，スペーサ片２の側面２３には，図５の実施形態において，該スペーサ片の上下方向を長さ方向とする凸条，従って，前記床板４の側面のスリット長手方向に対して直交方向を成す凸条２２が形成されているために，スペーサ片２の側面２３と床板４の側面４０との接触抵抗も増大している。
【００７３】
更に，床板固定具１の固定に，前述したように目地幅Ｗ2よりも大径の頭部７１を有する皿螺子７を使用する場合には，この皿螺子７を締め込んでいくと皿螺子の頭部７１に設けられた傾斜側面７１ａが床板４の上端角部に形成された面取り部４３に接触・押圧されることとなるために，この皿螺子の頭部７１における傾斜側面７１ａと床板４との接触抵抗によっても床板４の移動が規制されている。
【００７４】
更に，スペーサ片２の幅方向における両端に，Ｖ字状の変形部２４を設けた構成にあっては，この変形部２４が弾性復帰しようとする力によって床板４の側面４０に押圧されていると共に，床板４が長手方向に移動しようとした際に，床板と共にその先端部が移動しようとするために，いずれか一方の変形部２４が外向きに広がろうとするために，床板４の側面４０に対する接触抵抗が更に増大する。
【００７５】
そのため，床板４と床板固定具１との接触状態は，床板４上を人が歩行等した場合のように，通常の使用状態で加わる力に対しては，床板４が移動しないように固定するに十分な力を発生する。
【００７６】
一方，例えば床板４が気温や湿度の変化に伴って膨張，収縮することにより，床板４の寸法自体が変化して，床板固定具１との接触位置を移動させようとする極めて強い力が生じた場合には，床板４と床板固定具１とは前述したように釘や螺子釘，接着剤等による直接的に固着は行われていないために，床板４の移動を許容し得るものとなっている。
【００７７】
その結果，床板４のこのような膨張，収縮に伴う寸法変化が生じても，床板固定具１が破損し，床板固定具１を支持材５に固定する螺子釘７が外れ，更には，床板４に反りや歪み等の変形が生じることを好適に防止することができる。
【００７８】
なお，図２に示したように，尖鋭状頂部２２ａを凸条２２の幅方向のいずれか一方寄りに偏って配置した凸条２２を備える床板固定具１にあっては，この床板固定具１の凸条２２が床板４の側面に対して図６（Ａ），（Ｂ）に示すように接触しているものとすると，この床板固定具１が床板４の移動を規制しようとする力は，図６（Ｂ）に矢印Ｂ方向に移動しようとする床板４を規制する場合に比較して，図６（Ａ）に記載した矢印Ａ方向に移動しようとする床板４を規制する力の方が強くなる。
【００７９】
すなわち，上記の例において，図６（Ａ）に示すように床板４が図中矢印Ａの方向に移動する場合，可撓性材料によって形成された床板固定具１の凸条２２は，頂部２２ａが床板４の移動に引かれて図中矢印ａに示すように，外向きに広がるように変形する。その結果，この凸条２２の変形によって床板４の側面４０との接触抵抗は増大する。
【００８０】
一方，図６（Ｂ）に示すように，床板４が図中矢印Ｂ方向に移動する場合，可撓性材料によって形成された床板固定具１の凸条２２は，頂部２２ａが床板４の移動に引かれて図中矢印ｂに示すように，内向きに狭まるように変形する。その結果，上記形状の凸条２２を設ける場合，床板固定具１は，矢印Ｂ方向へ移動しようとする床板４に対し，矢印Ａ方向に移動しようとする床板４の移動をより強固に規制する。
【００８１】
以上のように，図２に示した床板固定具１にあっては，向きによって床板４の移動に対する規制力が異なることから，例えば図６（Ｃ）に示すように床板４の長手方向における所定間隔毎に，床板固定具１（１ａ〜１ｄ）を，例えば交互に逆向きとなるように配置して，床板４が図６（Ａ）中矢印Ａ方向に移動しようとしたときには，床板固定具１ａ，１ｃにより，逆に図６（Ｂ）中の矢印Ｂ方向に移動しようとした場合には床板固定具１ｂ，１ｄにより強固に移動を規制する作用を発揮させて，床板４が長手方向のいずれの方向に対しても移動しないようにしても良い。
【００８２】
また，例えば図６（Ｄ）に示すように，床板４の長手方向の一端を横木等に突合させてその移動を規制した状態で，この横木から離間する方向への床板４の移動に対する規制力が大きくなるように床板固定具１（１ａ，１ｂ）を取り付けるようにしても良く，このように構成する場合には，床板４の一端が常に横木に突合した状態に維持される。
【００８３】
なお，図６（Ｄ）に示したように床板４及び床板固定具１（１ａ，１ｂ）を取り付ける場合には，予期せざる大きな力が床板４に加わる等して万が一にも床板４が横木より離間する方向に移動してしまった場合であっても，床板４を，一端を横木に突合させた原位置に自動的に麩付きさせることができる。
【００８４】
すなわち，図６（Ｅ）に示すように，一端が横木から離間した状態にある床板４が膨張して寸法を増大するように変形した場合，床板固定具１ｂに対して床板固定具１ａの方が移動を規制する力が弱い。そのため，床板４は図６（Ｅ）中に破線で示すように横木側の端部を横木に近付けるように膨張する。
【００８５】
一方，床板４が収縮して寸法を減少する場合には，床板固定具１ａに比較して床板固定具１ｂの規制力が弱いために，床板は，同図中右側の端部を縮めるように変形する結果，床板４の膨張，収縮に伴って床板４が自ら横木と突合した原位置（施工時の位置）に自動で復帰させることもできる。
【符号の説明】
【００８６】
１ 床板固定具
２ スペーサ片
２１ 釘孔
２２，２２’  凸条
２２ａ  頂部（凸条の）
２３（２３ａ〜２３ｄ）  側面
２４  変形部
３ 架橋片
４ 床板
４０  側面
４１ スリット
４１ａ スリットの床板裏面側内壁
４２ 裏面（床板の）
４３ 面取り部
４３ａ  上端（面取り部の）
４３ｂ  下端（面取り部の）
５ 支持材（根太）
６ 束柱
７，７’ 螺子釘（皿螺子）
７１  頭部
７１ａ  傾斜側面
９  設置面（基礎）
１００  床板固定具
１０１  フランジ部
１０２  釘孔
１０３  係止爪
１１０  床板固定具
１１１  架橋片
１１２  中間片
１１３  釘孔
【図１】
2011084946.tif 000004
【図２】
2011084946.tif 000005
【図３】
2011084946.tif 000006
【図４】
2011084946.tif 000007
【図５】
2011084946.tif 000008
【図６】
2011084946.tif 000009
【図７】
2011084946.tif 000010
【図８】
2011084946.tif 000011
【図９】
2011084946.tif 000012
【図１０】
2011084946.tif 000013
【図１１】
2011084946.tif 000014
【手続補正書】
【提出日】平成22年1月15日(2010.1.15)
【手続補正１】
【補正対象書類名】明細書
【補正対象項目名】０００５
【補正方法】変更
【補正の内容】
【０００５】
さらに，一旦施工された床板４は，これを取り外した際，床板４の表面に釘や螺子釘によってうがたれた穴が残ることから，例えば解体された家屋等より回収した使用済みの床板を再利用しようとすれば，この孔を埋める等の煩雑な作業が必要となる。
【手続補正２】
【補正対象書類名】明細書
【補正対象項目名】００２７
【補正方法】変更
【補正の内容】
【００２７】
上記目的を達成するために本発明の床板固定具１は，幅方向の両端を成す側面４０の両側面それぞれに，長さ方向に，好ましくは，連続してスリット４１が形成された隣接する２枚の床板４を固定対象とする床板固定具１において，
前記隣接配置された２枚の前記床板４のそれぞれの側面４０に形成された前記スリット４１に挿入されて，隣接配置された２枚の床板４間を架橋する架橋片３と，前記架橋片３の幅方向における中間位置より前記床板の表裏面方向に突出し，隣接配置される２枚の床板４の側面４０間に挟持されるスペーサ片２を，可撓性を有する合成樹脂材料により一体的に形成し，
前記スペーサ片２に，該スペーサ片２を前記突出方向に貫通する釘孔２１を形成すると共に，
前記床板４の前記両側面４０と接触する前記スペーサ片２の少なくとも一の側面２３に，前記スペーサ片２の前記床板側面４０の長さ方向に直交する方向に，好ましくは所定間隔で，列条を成す凸条２２，２２’を複数形成したことを特徴とする（請求項１）。
【手続補正３】
【補正対象書類名】明細書
【補正対象項目名】００５０
【補正方法】変更
【補正の内容】
【００５０】
また，このようにスペーサ片２の側面に設ける凸条２２の頂部２２ａを鋭状に形成して鋸歯状とする場合には，図２（Ｄ）中に拡大図で示すように，凸条２２の裾から頂部２２ａに至る２辺を不等辺に形成する等して，凸条２２の頂部２２ａを，凸条２２の幅方向における一方側に偏って設けるように形成するものとしても良い。
【手続補正４】
【補正対象書類名】明細書
【補正対象項目名】００８３
【補正方法】変更
【補正の内容】
【００８３】
なお，図６（Ｄ）に示したように床板４及び床板固定具１（１ａ，１ｂ）を取り付ける場合には，予期せざる大きな力が床板４に加わる等して万が一にも床板４が横木より離間する方向に移動してしまった場合であっても，床板４を，一端を横木に突合させた原位置に自動的に復帰させることができる。
【手続補正書】
【提出日】平成22年4月19日(2010.4.19)
【手続補正１】
【補正対象書類名】明細書
【補正対象項目名】００２７
【補正方法】変更
【補正の内容】
【００２７】
上記目的を達成するために本発明の床板固定具１は，幅方向の両端を成す側面４０の両側面それぞれに，長さ方向に，好ましくは，連続してスリット４１が形成され，且つ，表面側における幅方向両端の角部が面取りされて面取り部４３が形成された隣接する２枚の床板４を固定対象とする床板固定具１において，
前記隣接配置された２枚の前記床板４のそれぞれの側面４０に形成された前記スリット４１に挿入されて，隣接配置された２枚の床板４間を架橋する架橋片３と，前記架橋片３の幅方向における中間位置より前記床板の表裏面方向に突出し，隣接配置される２枚の床板４の側面４０間に挟持されるスペーサ片２を，可撓性を有する合成樹脂材料により一体的に形成し，
前記スペーサ片２に，該スペーサ片２を前記突出方向に貫通する釘孔２１を形成すると共に，
前記床板４の前記両側面４０と接触する前記スペーサ片２の少なくとも一の側面２３に，前記スペーサ片２の前記床板側面４０の長さ方向に直交する方向に，好ましくは所定間隔で，列条を成す凸条２２，２２’を複数形成し，
前記架橋片３の下端から前記釘孔２１の形成位置における前記スペーサ片２の上端迄の高さｈ〔図１（Ａ），（Ｂ）参照〕を，固定対象とする前記床板４のスリット４１内に形成された床板裏面側内壁４１ａから前記面取り部４３の下端４３ｂ迄の高さＨ（図５参照）と略同一高さに形成すると共に，
前記釘孔２１に挿入される螺子釘として，前記床板４の隣接する面取り部４３の上端間の幅Ｗ３に対して小さく，前記スペーサ片２の肉厚によって決まる目地幅Ｗ２よりも大きな直径ｒの頭部を有する皿螺子〔図５（Ｂ）参照〕を使用することを特徴とする（請求項１）。
【手続補正２】
【補正対象書類名】明細書
【補正対象項目名】００３１
【補正方法】削除
【補正の内容】
【手続補正３】
【補正対象書類名】特許請求の範囲
【補正対象項目名】全文
【補正方法】変更
【補正の内容】
【特許請求の範囲】
【請求項１】
幅方向の両端を成す側面のそれぞれに長さ方向にスリットが形成され，且つ，表面側における幅方向両端の角部が面取りされて面取り部が形成された床板を固定対象とする床板固定具において，
隣接配置された２枚の床板のそれぞれの側面に形成された前記スリットに挿入されて，隣接配置された２枚の床板間を架橋する架橋片と，前記架橋片の幅方向における中間位置より前記床板の表裏面方向に突出し，隣接配置される２枚の床板の前記側面間に挟持されるスペーサ片を，可撓性合成樹脂材料により一体形成し，
前記スペーサ片に，該スペーサ片を前記突出方向に貫通する釘孔を形成すると共に，
前記床板の前記側面と接触する前記スペーサ片の側面に，前記床板側面の長さ方向の直交方向に列条を成す凸条を複数形成し，
前記架橋片の下端から前記釘孔の形成位置における前記スペーサ片の上端迄の高さを，固定対象とする前記床板のスリット内に形成された床板裏面側内壁から前記面取り部の下端迄の高さと略同一高さに形成すると共に，
前記釘孔に挿入される螺子釘として，前記床板の隣接する面取り部の上端間の幅に対して小さく，前記スペーサ片の肉厚によって決まる目地幅よりも大きな直径の頭部を有する皿螺子を使用することを特徴とする床板固定具。
【請求項２】
平面視における前記各凸条の頂部形状を尖鋭状に形成し，前記凸条が形成された前記スペーサ片の側面を鋸歯状に形成したことを特徴とする請求項１記載の床板固定具。
【請求項３】
前記各凸条の頂部を，前記凸条の幅方向における一方側に偏って配置したことを特徴とする請求項２記載の床板固定具。
【請求項４】
前記架橋片の下端から前記スペーサ片の下端迄の長さを，固定対象とする前記床板の裏面から前記スリットの床板裏面側内壁迄の高さに対して僅かに短く形成したことを特徴とする請求項１〜３いずれか１項記載の床板固定具。